(57)【特許請求の範囲】
【請求項１】
枠体と、この枠体にスライド開閉自在に支持された障子と、この障子の閉鎖状態において当該障子の開放方向側端縁の見込み方向室内側に重なる縦部材とを備えた建具であって、
前記障子は、開放方向側端縁を構成する第１框と、閉鎖方向側端縁を構成する第２框とを有するとともに、前記第１框が前記縦部材の見込み方向室外側に重なる全閉位置から、前記第２框が前記縦部材の見込み方向室外側に重なる全開位置までの間を移動可能に構成され、
前記縦部材には、前記全閉位置にある障子の前記第１框と係合する係合部と、この係合部よりも前記障子の閉鎖方向側にて当該係合部よりも見込み方向室内側に後退した後退部とが形成され、
前記縦部材の後退部における前記閉鎖方向側の端部には、弾性変形可能なカバー部材が設けられ、
前記障子を全開した状態において、前記第２框の見込み方向室内側面における室内側先端部が前記係合部よりも閉鎖方向側に位置して設けられている建具。
【請求項２】
前記第２框の見込み方向室内側面は、前記室内側先端部よりも開放方向側が傾斜面状、曲面状または段付き状に形成されている請求項１に記載の建具。
【請求項３】
前記第２框の見込み方向室内側面は、前記室内側先端部よりも閉鎖方向側が傾斜面状、曲面状または段付き状に形成されている請求項２に記載の建具。
【請求項４】
前記枠体には、前記障子である内障子の室外側に沿って外障子がスライド開閉自在に支持されており、
前記縦部材は、前記枠体または当該枠体が固定される躯体に対して移動不能に設けられ、この縦部材よりも開放方向側かつ見込み方向室外側には、全開状態における前記内外障子を収納する収納部が設けられ、
前記外障子は、開放方向側端縁を構成する第３框と、閉鎖方向側端縁を構成する第４框とを有するとともに、前記全閉位置にある内障子における前記第２框の見込み方向室外側に前記第３框が重なる全閉位置から、前記収納部に収納される全開位置までの間を移動可能に構成されている請求項１から請求項３のいずれかに記載の建具。
【発明の詳細な説明】
【技術分野】
【０００１】
本発明は、スライド開閉可能な障子を備えた建具に関する。
【背景技術】
【０００２】
従来、片引き窓や引き込み窓など、障子を障子収納部に収納して全開することが可能な建具が知られている（例えば、特許文献１参照）。
特許文献１に記載された建具は、片側一対２枚の障子がそれぞれ障子収納部に引き込まれて全開される四枚建ての引き分け、引き込み窓であり、各一対の障子（室内側障子および室外側障子）は、それぞれ左右スライド自在に窓枠に支持され、障子収納部に収納されることで全開可能に構成されている。また、この引き込み窓では、室内側障子の一方の縦框（戸先框）が障子収納部の側端縁（方立）に重なるとともに、室内外の障子の縦框（召合せ框）同士が見込み方向に重なることで閉鎖可能に構成されている。この閉鎖状態において、左右各組の室外側障子における縦框（戸先框）同士が当接することで窓全体が閉鎖されるようになっている。
【０００３】
【特許文献１】特開２００６−７０５７８号公報
【発明の開示】
【発明が解決しようとする課題】
【０００４】
しかしながら、前記特許文献１に記載されたような従来の引き込み窓では、全開状態において、室内側障子の召合せ框（閉鎖方向端縁を構成する縦框）が方立の見込み方向に重ならず、室内側障子の障子ストッパーが方立の見込み面に当接する位置までしか開放されない。つまり、従来の引き込み窓では、障子の引き残しが大きくなってしまい、このため、全開時の開口面積が十分に拡大できないという問題がある。
また、従来の引き込み窓において、開口面積を拡大しようとして障子ストッパーを省略した場合には、室内側障子の召合せ框が方立の見込み面に当接してしまうこととなる。このため、室内側障子の支持位置（および室外側障子の支持位置）を室外側に移動させ、召合せ框が方立ての室外側に重なるようにした構成が考えられるが、このような構成を採用した場合には、窓全体の見込み寸法が拡大するとともに、外壁面からの突出量も大きくなってしまい、製造コストや施工性、意匠性の点などで不都合を生じる。
【０００５】
本発明の目的は、建具全体の見込み寸法拡大を防止しつつ有効開口面積が拡大できる建具を提供することにある。
【課題を解決するための手段】
【０００６】
本発明の建具は、枠体と、この枠体にスライド開閉自在に支持された障子と、この障子の閉鎖状態において当該障子の開放方向側端縁の見込み方向室内側に重なる縦部材とを備えた建具であって、前記障子は、開放方向側端縁を構成する第１框と、閉鎖方向側端縁を構成する第２框とを有するとともに、前記第１框が前記縦部材の見込み方向室外側に重なる全閉位置から、前記第２框が前記縦部材の見込み方向室外側に重なる全開位置までの間を移動可能に構成され、前記縦部材には、前記全閉位置にある障子の前記第１框と係合する係合部と、この係合部よりも前記障子の閉鎖方向側にて当該係合部よりも見込み方向室内側に後退した後退部とが形成され、前記縦部材の後退部における前記閉鎖方向側の端部には、弾性変形可能なカバー部材が設けられ、前記障子を全開した状態において、前記第２框の見込み方向室内側面における室内側先端部が前記係合部よりも閉鎖方向側に位置して設けられていることを特徴とする。
【０００７】
ここで、本発明の建具としては、縦部材に第２框が重なって全開される障子を備えたものであればよく、１枚の障子を備えた片引き形式の建具でもよく、一対２枚の障子が片側方向に開放される二枚建て形式のものや、３枚の障子が片側方向に開放される三枚建て形式のものであってもよい。さらに、本発明の建具は、左右対称に配置された障子が引き分け形式で開放される二枚建てや四枚建ての引き分け形式の建具でもよい。また、縦部材としては、窓枠に一体に設けられた縦材や中桟であってもよく、外壁などの壁体の端縁で構成されたものでもよく、固定パネルや固定障子などの面材の端縁で構成されたものや、可動障子の縦框（召合せ框）で構成されたものでもよい。
【０００８】
以上の本発明によれば、第２框が縦部材の見込み方向室外側に重なって障子が全開されるので、有効開口面積を拡大することができるとともに、全開時に障子が目立たなくなることで、建具の意匠性が良好にできる。この際、縦部材の閉鎖方向側にて係合部よりも見込み方向室内側に後退部を形成するとともに、障子を全開した状態において、第２框の見込み方向室内側面における室内側先端部が、係合部よりも閉鎖方向側に位置することで、第２框と縦部材とが当接しないことから、障子の支持位置を見込み方向室外側に移動させる必要がない。従って、窓枠の見込み寸法、すなわち建具全体の見込み寸法が拡大することが防止できる。
また、全開状態において、第２框の見込み方向室内側の先端部と縦部材の係合部とが見込み方向において対向しないことで、障子を開閉操作する際に第２框の室内側先端部を手で持って障子を開放しても、この第２框の室内側先端部と縦部材の係合部との間に手が挟まれにくくすることができる。
さらに、障子を全開した状態で第２框の見込み方向室内側面と縦部材の後退部との隙間がカバー部材で覆われるので、隙間の内部が見えないようになって意匠性を向上させることができる。さらに、カバー部材が弾性変形可能であり、変形した状態のカバー部材と第２框との間に隙間を設けることができるので、万一、第２框とカバー部材との間に手が挿入されても、手の怪我が防止できる。また、障子を閉じる際に第２框と縦部材との間に手が引き込まれそうになっても、手が当たってカバー部材が弾性変形することで、即座に利用者が気付いて手を離すことができるので、手が引き込まれることが防止できる。
【０００９】
この際、本発明の建具では、前記第２框の見込み方向室内側面は、前記室内側先端部よりも開放方向側が傾斜面状、曲面状または段付き状に形成されていることが好ましい。
このような構成によれば、第２框の見込み方向室内側面が後退部から係合部に近づくにしたがって係合部から離れるような形態や、係合部および後退部の外形に沿った形態に構成できる。これにより、第２框の見込み方向室内側面と係合部との間に所定の隙間を確保しつつ、係合部と後退部との見付け方向の距離を近づけて縦部材の見付け寸法をコンパクトにすることができる。さらに、第２框の室内側面が傾斜面状や曲面状に形成されていれば、この第２框が掴みにくくなるので、第２框を持って障子を開閉する操作を予防することができ、第２框と縦部材との間に手が挟まれにくくすることができる。
【００１０】
さらに、本発明の建具では、前記第２框の見込み方向室内側面は、前記室内側先端部よりも閉鎖方向側が傾斜面状、曲面状または段付き状に形成されていることが好ましい。
このような構成によれば、第２框の見込み方向室内側面を対称形状に形成したことで、第２框の意匠性が向上できるとともに、見込み方向室内側先端部に向かって徐々に細くなる形態となってさらに掴みにくくなるので、この先端部を持った操作を予防することができる。
【００１２】
また、本発明の建具では、前記枠体には、前記障子である内障子の室外側に沿って外障子がスライド開閉自在に支持されており、前記縦部材は、前記枠体または当該枠体が固定される躯体に対して移動不能に設けられ、この縦部材よりも開放方向側かつ見込み方向室外側には、全開状態における前記内外障子を収納する収納部が設けられ、前記外障子は、開放方向側端縁を構成する第３框と、閉鎖方向側端縁を構成する第４框とを有するとともに、前記全閉位置にある内障子における前記第２框の見込み方向室外側に前記第３框が重なる全閉位置から、前記収納部に収納される全開位置までの間を移動可能に構成されていることが好ましい。
このような構成によれば、内障子および外障子からなる一対２枚の障子を備えた二枚建て片引きの建具や、これら一対の障子を左右対称に配置した４枚の障子を備えた四枚建て引き分け形式の建具が構成できる。そして、内障子の第２框と外障子の第３框とが見込み方向に重なって２枚の障子が閉じる、つまり第２框および第３框によって召合せ框が構成される場合において、第２框が框突出部を有して構成されているので、第２框の強度および剛性が確保でき、内障子および外障子に面外方向から作用する風圧力等に対する抵抗力を確保することができる。すなわち、召合せ框を構成する第２框および第３框は、閉鎖状態において縦枠などに支持されないため、風圧力等に抵抗するために見込み寸法を大きくする必要があるが、第２框の見込み寸法が大きく形成されていることで、面外方向の強度、剛性が確保できる。
【発明を実施するための最良の形態】
【００１３】
以下、本発明の実施形態を図面に基づいて説明する。
図１は、本発明の実施形態に係る建具であるサッシ窓１を示す横断面図である。
図１において、サッシ窓１は、建物の外壁開口部に設けられて建物の室内空間と室外空間とを仕切る二枚建て片引き形式（引き込み形式）の全開口タイプの建具である。このサッシ窓１は、外壁Ｗに固定される枠体としての窓枠２と、この窓枠２に左右スライド開閉自在に支持された一対２枚の障子１０と、障子１０の室外側に左右スライド開閉自在に支持された網戸２０とを備えて構成されている。
【００１４】
窓枠２は、四周枠組みされた上枠（不図示）、下枠３、および左右の縦枠４，５と、その内部にて上枠と下枠３とに渡って架設された縦部材としての縦材６とを有して構成され、外壁Ｗから室外側に突出して固定されている。縦材６は、外壁開口部ＷＯの開口側端縁を構成するものであって、縦額縁材Ｇの室外側に位置して外壁Ｗに固定されている。そして、窓枠２の内部において、縦材６と一方（図１中、右側）の縦枠４との間でかつ外壁Ｗの室外側には、２枚の障子１０を収納する障子収納部７が形成されている。この障子収納部７における縦材６と縦枠４との間には、外壁Ｗと同様の外装材ＷＳが取り付けられ、外壁Ｗと連続した外観意匠が構成されるようになっている。
【００１５】
障子１０は、室内側障子（内障子）１０Ａおよび室外側障子（外障子）１０Ｂからなる一対で構成され、室内側障子１０Ａおよび室外側障子１０Ｂが片側方向（図１では右側）に全開可能で、全開位置において障子収納部７に収納されるようになっている。これらの障子１０は、それぞれ四周框組みした上框、下框（不図示）および左右の縦框１１，１２，１３，１４と、その内部に支持された面材としてのガラスパネル１５とを備えて構成されている。そして、室内側障子１０Ａは、障子収納部７に収納された全開位置から、図１に示す全閉位置までの間を開閉移動可能とされている。一方、室外側障子１０Ｂは、障子収納部７に収納された全開位置から、室内側障子１０Ａの全閉位置を通過して図１に示す全閉位置までの間を開閉移動可能とされている。
【００１６】
以上の各障子１０において、室内側障子１０Ａの一方（図１中、右側）の縦框１１は、全閉位置で縦材６の室外側に重なって閉じ、他方（図１中、左側）の縦框１２は、全閉位置で室外側障子１０Ｂにおける一方（図１中、右側）の縦框１３の室内側に重なって閉じ、室外側障子１０Ｂの他方（図１中、左側）の縦框１４は、他方の縦枠５と当接して閉じるようになっている。すなわち、室内側障子１０Ａの一方の縦框１１によって第１框としての戸先框が構成され、他方の縦框１２によって第２框としての内召合せ框が構成されるとともに、室外側障子１０Ｂの一方の縦框１３によって第３框としての外召合せ框が構成され、他方の縦框１４によって第４框としての戸先框が構成されている。また、窓枠２の上枠には、室内側障子１０Ａおよび室外側障子１０Ｂをそれぞれ案内する内外の上レールが設けられ、下枠３には、室内側障子１０Ａおよび室外側障子１０Ｂをそれぞれ案内する室内側下レール３Ａおよび室外側下レール３Ｂが設けられている。
【００１７】
次に、図２、図３も参照して窓枠２の縦材６および障子１０の縦框１１，１２，１３，１４について詳しく説明する。ここで、図２は、縦材６および室内側障子１０Ａの縦框１１（戸先框）の部分を拡大して示す横断面図である。図３は、室内外の障子１０Ａ，１０Ｂの縦框１２，１３（召合せ框）の部分を拡大して示す横断面図である。
【００１８】
図２に示すように、窓枠２の縦材６は、それぞれアルミ形材製の室内部材６Ａおよび室外部材６Ｂと、これらの室内部材６Ａと室外部材６Ｂとを連結する樹脂製の断熱部材６Ｃとを備えて構成されている。室内部材６Ａは、断面矩形中空状の室内部材本体６１と、この室内部材本体６１の見付け方向内端から室内側に延びて縦額縁材Ｇに当接する延出片部６２と、室内部材本体６１の見付け方向内端寄りでかつ室外側側面に設けられた断面略凹状の保持部６３とを有して形成されている。室外部材６Ｂは、断面矩形中空状の室外部材本体６４と、この室外部材本体６４の室内側端部から見付け方向外側に延びて外壁Ｗに固定される固定片部６５と、室外部材本体６４の室外側側面から突出して見付け方向外側に折れ曲がった断面略Ｌ字形の係合部６６とを有して形成されている。
【００１９】
そして、縦材６において、室内部材６Ａの室内部材本体６１の見込み寸法は、室外部材６Ｂの室外部材本体６４の見込み寸法よりも小さく形成され、室内部材本体６１の室外側側面が室外部材本体６４の室外側側面よりも室内側に後退して設けられている。そして、室内部材本体６１の室外側側面と断熱部材６Ｃの室外側側面とが略フラットに形成されており、これらの室内部材本体６１および断熱部材６Ｃの室外側側面によって縦材６の後退部６Ｄが構成されている。すなわち、後退部６Ｄは、係合部６６よりも室内側障子１０Ａの閉鎖方向側（図２中、左側）に形成されるとともに、係合部６６よりも室内側障子１０Ａから離れる側（室内側）に形成されている。また、縦材６における室内部材６Ａの保持部６３には、軟質ゴム製で弾性変形可能なカバー部材６Ｅが室内側障子１０Ａ側（室外側）に向かって突出して取り付けられている。
【００２０】
一方、室内側障子１０Ａの縦框１１は、アルミ形材製の縦框本体１１Ａと、この縦框本体１１Ａにおける室内空間側に取り付けられた樹脂製の框室内部材１１Ｂとを有して構成されている。すなわち、框室内部材１１Ｂは、縦框本体１１Ａの見付け方向内側でかつガラスパネル１５よりも室内側に係合して取り付けられている。縦框本体１１Ａは、室内側障子１０Ａの閉鎖状態において、縦材６の室外側に対向する矩形中空状の框本体室内部１１Ｃと、框本体室内部１１Ｃの室外側に設けられた矩形中空状の框本体室外部１１Ｄと、ガスケット１５Ａを介してガラスパネル１５の側端縁を保持するパネル保持部１１Ｅとを有して形成されている。そして、框本体室内部１１Ｃの室内側側面には、室内側に突出して見付け方向内側に折れ曲がった断面略Ｌ字形の係合部１１Ｆが形成されている。室内側障子１０Ａの閉鎖状態において、縦框１１の係合部１１Ｆと縦材６の係合部６６とが係合するとともに、カバー部材６Ｅによって框本体室内部１１Ｃと縦材６の後退部６Ｄとの隙間が覆われるようになっている。
【００２１】
次に、図３に示すように、室内側障子１０Ａの縦框１２は、それぞれアルミ形材製の框室内部材１２Ａおよび框室外部材１２Ｂと、これらの框室内部材１２Ａと框室外部材１２Ｂとを連結する樹脂製の断熱部材１２Ｃとを備えて構成されている。そして、框室内部材１２Ａと框室外部材１２Ｂとの間には、ガスケット１５Ａを介してガラスパネル１５の側端縁を保持するパネル保持部１２Ｄが形成され、框室外部材１２Ｂの室外側側面には、室外側に突出して見付け方向内側に折れ曲がった断面略Ｌ字形の係合部１２Ｅが形成されている。一方、室外側障子１０Ｂの縦框１３は、アルミ形材製の一体成形部材であって、その見付け方向内側には、ガスケット１５Ａを介してガラスパネル１５の側端縁を保持するパネル保持部１３Ａが形成され、縦框１３の室内側側面には、室内側に突出して見付け方向内側に折れ曲がった断面略Ｌ字形の係合部１３Ｂが形成されている。そして、室内側障子１０Ａおよび室外側障子１０Ｂの閉鎖状態において、縦框１２の係合部１２Ｅと縦框１３の係合部１３Ｂとが係合するようになっている。
【００２２】
また、室内側障子１０Ａの縦框１２は、ガラスパネル１５よりも見込み方向室内側に突出した框突出部１２１を有して形成されている。この框突出部１２１の見込み方向室内側最先端部は、前記縦框１１における框本体室内部１１Ｃの室内側側面と略同一見込み位置に設けられている。そして、框突出部１２１において、室内側障子１０Ａの開放方向側（図３の右側）には、框突出部１２１の突出方向である室内側に向かうにしたがって閉鎖方向（図３の左側）に円弧状に傾斜した第１曲面状部１２２が形成されている。また、框突出部１２１の閉鎖方向側（図３の左側）には、室内側に向かうにしたがって開放方向（図３の右側）に円弧状に傾斜した第２曲面状部１２３が形成されている。これらの第１曲面状部１２２と第２曲面状部１２３とは、左右略対称形状に形成されている。
【００２３】
次に、図４も参照して室内側障子１０Ａを開放した状態について詳しく説明する。ここで、図４は、開放した室内側障子１０Ａと縦材６とを示す横断面図である。
図４に実線で示すように、全開状態における室内側障子１０Ａの縦框１２は、縦材６の見込み方向室外側に重なり、縦框１２および縦材６の見込み面（閉鎖方向の端面）が略同一面内に位置するように室内側障子１０Ａが開放されるようになっている。このような全開位置に至るまでの開閉移動時において、縦框１２は、図４に仮想線（二点鎖線）で示すように、框突出部１２１の見込み方向室内側最先端部が縦材６の保持部６３およびカバー部材６Ｅの位置を通過することとなる。この縦材６の保持部６３の位置を通過する際に、框突出部１２１の見込み方向室内側最先端部が縦材６の室内部材６Ａに最も接近することとなり、そのような框突出部１２１と保持部６３との間に間隔寸法Ｌ１となる隙間が設けられている。この際、縦材６の後退部６Ｄが保持部６３よりも室内側に後退して設けられているため、この後退部６Ｄと框突出部１２１との間には、間隔寸法Ｌ１よりも大きな隙間が設けられるようになっている。
【００２４】
また、室内側障子１０Ａが全開位置まで開放された状態において、縦框１２における框突出部１２１の第１曲面状部１２２と、縦材６の係合部６６および室外部材本体６４とが接近することとなる。このような框突出部１２１の第１曲面状部１２２と縦材６の係合部６６との間には、間隔寸法Ｌ２となる隙間が設けられ、第１曲面状部１２２と室外部材本体６４の室外側角部との間には、間隔寸法Ｌ３となる隙間が設けられている。また、カバー部材６Ｅは、図４に仮想線（二点鎖線）で示すように、縦材６の後退部６Ｄに沿った位置に弾性変形可能に構成されており、このように変形した状態において、カバー部材６Ｅと縦框１２の框突出部１２１との間には、間隔寸法Ｌ４となる隙間が設けられている。この間隔寸法Ｌ４は、カバー部材６Ｅが変形した際の厚さ分だけ保持部６３との間隔寸法Ｌ１よりも小さくなっている。
【００２５】
以上のような各間隔寸法Ｌ１〜Ｌ４は、それぞれ縦框１２の框突出部１２１と縦材６との隙間に、指が挟まれない程度の寸法（所定寸法であり、例えば、１５mm程度）以上となるように設定されている。従って、室内側障子１０Ａの開閉移動時において、框突出部１２１の見込み方向室内側最先端部が縦材６の保持部６３およびカバー部材６Ｅの位置を通過する際に、框突出部１２１を手で操作していたとしても、カバー部材６Ｅが弾性変形することで、カバー部材６Ｅと框突出部１２１先端との間に間隔寸法Ｌ４の隙間が形成され、この隙間から容易に指を抜くことができるようになっている。また、室内側障子１０Ａを全開する際に、框突出部１２１の第１曲面状部１２２に指が掛かっていたとしても、第１曲面状部１２２と縦材６の係合部６６および室内部材６Ａとの間に間隔寸法Ｌ２，Ｌ３以上の隙間が形成され、縦框１２と縦材６とで指が挟まれないようになっている。
【００２６】
このような本実施形態によれば、以下のような効果がある。
（１）すなわち、障子収納部７の端縁を構成する縦材６の室外側に縦框１２が重なって室内側障子１０Ａが全開されるので、有効開口面積を拡大することができるとともに、全開時に障子１０が目立たなくなることで、サッシ窓１の意匠性が良好にできる。そして、縦框１２の框突出部１２１と縦材６との間に間隔寸法Ｌ１〜Ｌ４の隙間が設けられているので、室内側障子１０Ａを開閉する際に框突出部１２１を手で操作したとしても、縦框１２と縦材６の間に指が挟まれることが防止できる。
【００２７】
（２）また、室内側障子１０Ａが全開された状態において、縦框１２の見込み方向室内側最先端部が縦材６の係合部６６よりも閉鎖方向側に位置するとともに、縦框１２の框突出部１２１に応じて縦材６に後退部６Ｄが形成されることで、前述の隙間が確保されていることから、障子１０の支持位置である上レールや下レール３Ａ，３Ｂを室外側に移動させなくても、指挟みを抑制することができる。従って、窓枠２の見込み寸法の拡大が防止でき、部材断面の拡大による製造コストの増加や施工性の低下を招くことなく、かつサッシ窓１全体の外壁Ｗからの突出寸法を抑制することによる意匠性の向上を図ることができる。
【００２８】
（３）また、框突出部１２１に室内側かつ閉鎖方向に傾斜した第１曲面状部１２２が形成されていることで、縦材６の係合部６６および室外部材本体６４の位置を開放方向に大きくずらさなくても、第１曲面状部１２２と縦材６の係合部６６および室外部材本体６４との間に間隔寸法Ｌ２，Ｌ３の隙間を確保することができる。従って、係合部６６を室内部材６Ａ側に近づけて形成することができるので、縦材６の見付け寸法の拡大が防止でき、これに伴って縦框１１の見付け寸法の拡大も防止することができる。
【００２９】
（４）さらに、框突出部１２１には、第１曲面状部１２２と左右対称な第２曲面状部１２３が形成されているので、框突出部１２１が掴みにくくでき、框突出部１２１を掴んで室内側障子１０Ａを開閉する操作を予防することができる。従って、室内側障子１０Ａの開放操作時に障子収納部７側に手が引き込まれることがより抑制できるとともに、縦框１２の意匠性が向上できる。
【００３０】
（５）また、縦材６にカバー部材６Ｅが設けられているので、室内側障子１０Ａの全閉状体で縦框１１と縦材６との隙間をカバー部材６Ｅで覆い、全開状態で縦框１２と縦材６との隙間をカバー部材６Ｅで覆うことができ、これらの隙間内部が見えないようになって意匠性を向上させることができる。さらに、カバー部材６Ｅが弾性変形した状態において、カバー部材６Ｅと縦框１２の框突出部１２１の見込み方向室内側最先端部との間に間隔寸法Ｌ４の隙間が設けられているので、これらの間に指が挟まれることが防止できる。そして、室内側障子１０Ａを閉じる際に縦框１２と縦材６との間に手が引き込まれそうになっても、カバー部材６Ｅに手が当たってカバー部材６Ｅが弾性変形することで、即座に利用者が気付いて手を離すことができるので、手が引き込まれることが抑制できる。
【００３１】
（６）また、室内側障子１０Ａの召合せ框である縦框１２が框突出部１２１を有し、見込み寸法が大きく形成されているので、縦框１２の強度および剛性が確保でき、室内側障子１０Ａおよび室外側障子１０Ｂに面外方向から作用する風圧力等に対する抵抗力を確保することができる。
【００３２】
なお、本発明は、前記実施形態に限定されるものではなく、本発明の目的を達成できる他の構成等を含み、以下に示すような変形等も本発明に含まれる。
例えば、前記実施形態においては、二枚建て引き込み開放形式の全開口タイプのサッシ窓１を例示して説明したが、本発明の建具はこのようなサッシ窓１に限られない。すなわち、本発明の建具は、前記室内側障子１０Ａに相当する１枚の障子を有した片引き窓でもよく、また前記室内側障子１０Ａおよび室外側障子１０Ｂに相当する一対の障子が左右対称に配置された四枚建て引き分け、引き込み開放形式の窓でもよい。また、縦部材としては、窓枠２の内部にて上枠と下枠３とに渡って架設された縦材６に限らず、外壁などの壁体の端縁を縦部材としてもよく、固定パネルや固定障子などの面材の端縁や、可動障子の縦框（召合せ框）で縦部材を構成してもよい。
【００３３】
また、前記実施形態では、框突出部１２１に左右対称な第１曲面状部１２２および第２曲面状部１２３を形成したが、このような曲面状部は必須ではなく、框突出部を矩形状に形成してもよい。さらには、曲面状部１２２，１２３に替えて、框突出部が断面略三角形状となるような傾斜面部を形成してもよく、また、縦材６の係合部６６および室外部材本体６４の外形に沿って段付き状に形成された段付き状部を有して框突出部が断面凸状に形成されていてもよい。
また、前記実施形態では、縦材６にカバー部材６Ｅを設けたが、このカバー部材６Ｅは必須ではなく、省略してもよい。また、カバー部材としては、弾性変形可能な軟質ゴム製のものに限らず、縦材６に対して回動可能またはスライド可能に支持された硬質な部材で構成されていてもよい。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の実施形態に係る建具を示す横断面図である。
【図２】前記建具における内障子の戸先部分を拡大して示す横断面図である。
【図３】前記建具における内外障子の召合せ部分を拡大して示す横断面図である。
【図４】前記建具における内障子の開放状態を示す横断面図である。
【符号の説明】
【００３６】
１…サッシ窓（建具）、２…窓枠（枠体）、６…縦材（縦部材）、６Ｄ…後退部、６Ｅ…カバー部材、７…障子収納部（収納部）、１０…障子、１０Ａ…室内側障子（内障子）、１０Ｂ…室外側障子（外障子）、１１…縦框（第１框）、１２…縦框（第２框）、１３…縦框（第３框）、１４…縦框（第４框）、６６…係合部、１２２…第１曲面状部、１２３…第２曲面状部。
【図１】
0005180575.tif 000002
【図２】
0005180575.tif 000003
【図３】
0005180575.tif 000004
【図４】
0005180575.tif 000005